(57)【要約】【課題】組み立てが容易にでき、框に傷が付き難く、且つ框の連結部を水密に保持できる障子及び障子の組み立て方法を提供すること。【解決手段】本発明の障子１は、ネジ留めホール２９を有する押出し形材の横框７と、押出し形材の竪框１１と、横框７と竪框１１との間に介在される樹脂製のホルダ２７と、ネジ５１とを備え、ホルダ２７は横框端に嵌合する横框嵌合部４７と、竪框１１の内周側面に嵌合する竪框嵌合部４９と、ネジ挿通孔５２とを有し、竪框１１の外周側面から挿通したネジ５２をホルダ２７に挿通し横框７のネジ留めホール２９に螺合して竪框１１とホルダ２７と横框７とを連結している。【選択図】    図１
2004225295.tif 000002
【特許請求の範囲】
【請求項１】
ネジ留めホールを有する押出し形材の横框と、押出し形材の竪框と、横框と竪框との間に介在される樹脂製のホルダと、ネジとを備え、ホルダは横框端に嵌合する横框嵌合部と、竪框の内周側面に嵌合する竪框嵌合部と、ネジ挿通孔とを有し、竪框には内周側面と外周側面とにネジ挿通孔が形成されており、竪框の外周側面から挿通したネジをホルダに挿通し横框のネジ留めホールに螺合して竪框とホルダと横框とを連結していることを特徴とする障子。
【請求項２】
竪框は内周側面に長手方向に設けた嵌合溝を有し、ホルダは横框端と竪框の内周側面とに挟持される挟持部を有し、ホルダの竪框嵌合部は竪框の嵌合溝に嵌合することを特徴とする請求項１に記載の障子。
【請求項３】
竪框の嵌合溝には位置決め部が嵌合溝内に突設されており、ホルダは位置決め突部に係止される片部を備えることを特徴とする請求項２に記載の障子。
【請求項４】
下横框の上に下横框と略平行に配置したガラリ羽根と、ガラリ中桟とを備え、ホルダはガラリ中桟に嵌合するガラリ中桟嵌合部、及びガラリ羽根に嵌合するガラリ羽根嵌合部とを更に有することを特徴とする請求項１〜３のいずれか一項に記載の障子。
【請求項５】
竪框の端に装着するキャップを備え、竪框の外周側面に設けてあるネジ挿通孔は竪框の端に開口した溝であり、キャップはネジ挿通孔を塞ぐカバー部を有し、カバー部が竪框の外周側面に形成した挿通孔に装着されてネジ挿通孔を塞いでおり、且つカバー部の外周側面と竪框の外周側面とが面一になっていることを特徴とする請求項１〜４のいずれか一項に記載の障子。
【請求項６】
請求項５に記載の障子の組み立て方法であって、横框の端にホルダの横框嵌合部を嵌合し、ホルダの竪框嵌合部を竪框の内側に形成された嵌合溝に嵌合して、竪框の外側からネジを竪框、ホルダに挿通して横框のネジ留めホールに螺合した後、竪框の端にキャップを装着してカバー部により竪框の外周側面に形成したネジ挿入孔に蓋をしていることを特徴とする障子の組み立て方法。
【発明の詳細な説明】
【０００１】
【発明の属する技術分野】
本発明は、浴室ドア等の框で枠組みした障子及び障子の組み立て方法に関する。
【０００２】
【従来の技術】
特許文献１には、竪框にほぞ穴を形成し、ほぞ穴に上框（横框）と下框（横框）の端を挿入して枠組みし、竪框の外周側からネジで締め付けて竪框と横框を連結することが開示されている。
【０００３】
また、特許文献２には、竪框の端にキャップを被せ、キャップには蓋部と下方に突設する突設部が設けられ、この突設部に設けたネジ孔に竪框と横框とを締め付けるネジを挿通することが開示されている。
【０００４】
【特許文献１】
特開２０００−２７５５１号公報
【特許文献２】
実開平１−９２４９５号公報
【０００５】
【発明が解決しようとする課題】
しかし、特許文献１の技術では、竪框にほぞを形成するため、障子の組み立てに手間がかかるという問題がある。即ち、ほぞ加工には正確な加工が要求されるので、専用の加工金型を用いておこなうとともに、加工公差もあるので熟練した技術を必要としている。しかも、障子の組み立て工場では加工金型によるプレス作業やそのための前工程を必要としているため、組み立て工数が多くなり、しかも、框に傷がつき易いため、慎重な作業が要求されるという問題もある。
【０００６】
一方、特許文献２では竪框の端にキャップを取り付けることが開示されているが、竪框と横框を締め付ける締め付けネジの頭が露出して外観を害するという問題がある。これに対して、ネジの頭部分に樹脂製のホールプレートを被せてネジの頭を隠す技術が公知である。しかし、ホールプレートを装着すると段差ができ、例えば障子の吊元側竪框が吊元側竪枠に取り付けられた水密用タイト材に常時当接した状態にある構成において、障子が回動すると、ホールプレートの段差の為に、タイト材がホールプレーに巻き込まれて、タイト材の機能（水密性）を害したり、外観を害するという問題がある。
【０００７】
本発明は、上述した事情に鑑みなされたもので、組み立てが容易にでき、框に傷が付き難く、且つ框の連結部を水密に保持できる障子及び障子の組み立て方法の提供を目的とする。
【０００８】
【課題を解決するための手段】
上記目的を達成するために、請求項１に記載の発明は、ネジ留めホールを有する押出し形材の横框と、押出し形材の竪框と、横框と竪框との間に介在される樹脂製のホルダと、ネジとを備え、ホルダは横框端に嵌合する横框嵌合部と、竪框の内周側面に嵌合する竪框嵌合部と、ネジ挿通孔とを有し、竪框には内周側面と外周側面とにネジ挿通孔が形成されており、竪框の外周側面から挿通したネジをホルダに挿通し横框のネジ留めホールに螺合して竪框とホルダと横框とを連結していることを特徴とする。
【０００９】
この請求項１に記載の発明では、障子の組み立ては、ホルダの横框嵌合部を横框の端に嵌め、ホルダの竪框嵌合部を竪框の内周側面に嵌めて、竪框の外周側面から竪框、ホルダの各ネジ挿通孔にネジを挿通して、横框のネジ留めホールにネジの先端を螺合して横框と竪框とを締結する。各框は、それぞれほぞ加工することなく、押出し成形した状態のまま組み立てでき、ほぞ加工の工程がない分組み立てが容易であり且つ製造コストを低減できる。
更に、框にほぞ加工をしない為、ほぞ加工用の加工金型を削減でき、製造コストを低減できる。
金属製の竪框と横框との間には、樹脂製のホルダを介在しているので、組み立て時に竪框と横框が相互に傷つくのを防止できる。
【００１０】
請求項２に記載の発明は、請求項１に記載の発明において、竪框は内周側面に長手方向に設けた嵌合溝を有し、ホルダは横框端と竪框の内周側面とに挟持される挟持部を有し、ホルダの竪框嵌合部は竪框の嵌合溝に嵌合することを特徴とする。
【００１１】
この請求項２に記載の発明では、請求項１に記載の発明と同様な作用効果を奏するとともに、ホルダは嵌合突部が竪框の溝に嵌合するので、ホルダの装着が容易にでき、仮固定できるので、その後のネジ留め作業がし易く、組み立てが容易である。
樹脂製のホルダの挟持部が横框端と竪框の内周側面との間に挟持されるので、竪框と横框との接触による傷を確実に防止できる。
【００１２】
請求項３に記載の発明は、請求項２に記載の発明において、竪框の嵌合溝には位置決め部が嵌合溝内に突設されており、ホルダは位置決め突部に係止される片部を備えることを特徴とする。
【００１３】
この請求項３に記載の発明では、請求項２に記載の発明と同様な作用効果を奏するとともに、竪框の嵌合溝に嵌合突部を挿入すると嵌合溝内に形成された位置決め部に嵌合突部の片部が当接して、嵌合突部の挿入量が規制される。したがって、竪框に対するホルダの装着位置にばらつきを防止できるとともに組み付け性が良い。また、片部が位置決め部に当接することによりホルダと竪框との間の水密性を高めることができる。
【００１４】
請求項４に記載の発明は、請求項１〜３のいずれかに記載の発明において、下横框の上に下横框と略平行に配置したガラリ羽根と、ガラリ中桟とを備え、ホルダはガラリ中桟に嵌合するガラリ中桟嵌合部、及びガラリ羽根に嵌合するガラリ羽根嵌合部とを更に有することを特徴とする。
【００１５】
この請求項４に記載の発明では、請求項１〜３のいずれかに記載に発明と同様な作用効果を奏するとともに、横框の端にホルダの横框嵌合部を嵌めるときに同時にガラリ中桟の端にガラリ中桟嵌合部を、ガラリ羽根端にガラリ嵌合部を嵌める。したがって、横框と竪框のみならず、ガラリ羽根も同時に組み立てでき、竪框とガラリ羽根との間にも樹脂製のホルダが介在するから、ガラリ羽根やガラリ中桟が傷つくのを防止できる。
【００１６】
また、横框と、ガラリ羽根と、ガラリ中桟とをホルダにより一体に保持することもできるので、これらを一体に取り付けた状態で移動させたり、搬送できるので取り扱いやすく、且つ横框と、ガラリ羽根と、ガラリ中桟とを樹脂製のホルダが保持しているので、これらに傷が付き難い。
【００１７】
請求項５に記載の発明は、請求項１〜４のいずれかに記載の発明において、竪框の端に装着するキャップを備え、竪框の外周側面に設けてあるネジ挿通孔は竪框の端に開口した溝であり、キャップはネジ挿通孔を塞ぐカバー部を有し、カバー部が竪框の外周側面に形成した挿通孔に装着されてネジ挿通孔を塞いでおり、且つカバー部の外周側面と竪框の外周側面とが面一になっていることを特徴とする。
【００１８】
この請求項５に記載の発明では、請求項１〜４のいずれかに記載の発明と同様な作用効果を奏するとともに、キャップの装着によりキャップに一体形成してあるカバー部が竪框の内側でネジ挿通孔を塞ぐから、別途ネジ挿通孔を塞ぐ部材を設ける必要がなく、部品点数を削減できるとともに組み立て工数を少なくできる。
【００１９】
特に、カバー部は溝状のネジ挿通孔に挿入されて、竪框の外面と面一になるから、障子の竪框が回動して障子が開閉する場合であって竪枠に取り付けているタイト材が竪框の外面に常時接触して水密を図っているときに、従来のように竪框の外面から突設したホールプレートにタイト材が当ってタイト材が竪框の回動に巻き込まれることがない。
【００２０】
請求項６に記載の発明は、請求項５に記載の障子の組み立て方法であって、請求項５に記載の障子の組み立て方法であって、横框の端にホルダの横框嵌合部を嵌合し、ホルダの竪框嵌合部を竪框の内側に形成された嵌合溝に嵌合して、竪框の外側からネジを竪框、ホルダに挿通して横框のネジ留めホールに螺合した後、竪框の端にキャップを装着してカバー部により竪框の外周側面に形成したネジ挿入孔に蓋をしていることを特徴とする。
【００２１】
この請求項６に記載の発明では、請求項５に記載の発明と同様な作用効果を奏する障子の組み立て方法を提供することができる。
【００２２】
【発明の実施の形態】
以下に、添付図面の図１〜図９を参照して本発明の第１実施の形態を詳細に説明する。図１は吊元側竪框と横框との連結部の分解斜視図であり、図２は図１に示す連結部の横断面図であり、図３は戸先側竪框と横框との連結部の分解者視図であり、図４は下横框及びガラリ羽根と、吊元側竪框との連結部の分解斜視図であり、図５は上ホルダの図であり、（ａ）は正面図、（ｂ）は側面図、（ｃ）は背面図、（ｄ）は底面図であり、図６はキャップを装着した吊元側竪框の横断面図であり、図７は下ホルダの図であり、（ａ）は正面図、（ｂ）は側面図、（ｃ）は背面図、（ｄ）は底面図であり、（ｅ）は上面図であり、図８は浴室ドアの縦断面図であり、図９は図８に示す浴室ドアの横断面図である。
【００２３】
本実施の形態にかかる障子１は、図８及び図９に示すように、浴室ドア３に設けられており、枠５に対して障子１が回動して開閉するようになっている。障子１は上框（横框）７と、下框（横框又は下横框）９と、吊元側竪框（竪框）１１と、戸先側竪框（竪框）１３とが四方組みされて内周側にパネル（ガラス又は樹脂材製）１５がはめ込まれている。
【００２４】
障子１の吊元側竪框１１は枠５に対して回動自在であり、吊元側竪枠１９には吊元側竪框１１にタイト材２１が常時当接されている。また、戸先側竪枠２３には、障子１を閉じた時に戸先側竪框１３に当接するタイト材２５が設けられている。
【００２５】
障子１において、上框７と吊元側竪框１１との連結部３０は、図１及び図２に示すように、樹脂製のホルダ２７を介在して連結されている。上框７はアルミニウム合金製であり、押出し成形により製造されており、ネジ留めホール２９も押出し成形時に作られている。
【００２６】
吊元側竪框１１は中空３４を有し、外周側面３１を断面略円弧状に形成しており、内周側面３３には段部３５と、嵌合溝３７が長手方向に沿って形成されている。また、外周側面３１の内側（中空３４側）には後述するカバー部３９の挿入溝４１が長手方向に沿って形成されているとともに外周側面３１にはネジ挿通孔５２が形成されている。このネジ挿通孔５２は略Ｕ字の溝状に形成されており、カバー部３９で蓋がされる。嵌合溝３７の開口には開口を狭めるように突出した位置決め部４３が設けられている。
【００２７】
ホルダ２７は上框７の端と吊元側竪框１１に当接する挟持部４５を備え、挟持部４５の上框７側には上框７に嵌合する横框嵌合部４７が設けられている。横框嵌合部４７は、上框７の内側に挿入される各突設片により構成されている。また、挟持部４５の吊元側竪框１１側には、竪框嵌合部４９が突設されており、この竪框嵌合部４９は嵌合溝３７内に嵌合されている。下側にある竪框嵌合部４９には、ネジ５１の挿通孔５３が形成されているとともに、基端に片部５５が突設されており、吊元側竪框１１の位置決め部４３に当接して嵌合溝３７に対する挿入量が規制されている。
【００２８】
キャップ５７は樹脂製であり、吊元側竪框１１の上端を塞いでいる。このキャップ５７にはカバー部３９が一体成形されており、カバー部３９は吊元側竪框１１の溝４１に挿入されてネジ挿通孔５２を塞いでいる。カバー部３９はネジ挿通孔５２に装着された状態では、その外周面が吊元側竪框１１の外周面と面一になっており、吊元側竪框１１が回動しても竪枠１９に設けられているタイト材２１がスムーズに当接できタイト材２１の巻き込みを防止している。
【００２９】
次に、図３を参照して上框（横框）７と戸先側竪框（竪框）１３との連結部４０、図４を参照して下框（横框又は下横框）９と吊元側竪框（竪框）１１との連結部５０について説明するが、上述した上框７と吊元側竪框１１との連結部３０と同一の作用効果を奏する部分には同一の符号を付することによりその部分の詳細な説明を省略し、連結部３０と主に異なる点を説明する。
【００３０】
図３に示す連結部４０では、戸先側框１３が横断面略四角形状となっている点が図１に示す連結部３０と異なっており、その他の点は図１に示す連結部３０と略同じである。
【００３１】
図４に示す下框（下横框）９と吊元側竪框１１との連結部５０では、下框９とともにガラリ羽根６１とガラリ中桟５９を竪框１１に固定している。このため、ホルダ２７ａは縦長になっており、横框嵌合部４７の上にガラリ中桟５９の端に嵌合ずるガラリ中桟嵌合部６３と、ガラリ羽根６１に嵌合するガラリ嵌合部６５が突設されている。連結部５０では、吊元側竪框１１に下框９とガラリ羽根６１とガラリ中桟５９を固定でき、かかるガラリ羽根６１を備える障子の組み立てにおける作業効率が良い。また、吊元側竪框１１とガラリ羽根６１及びガラリ中桟５９とを樹脂製のホルダ２７ａで一緒に保持できるとともに、これらを一緒に移動や搬送でき、しかも、ガラリ羽根６１やガラリ中桟５９が傷つくのを防止できる。尚、図示していないが、戸先側竪框１３と下框９との連結部においても、ガラリ中桟５９とガラリ羽根６１とを嵌合する嵌合部を備えたホルダ２７ａが設けられている。
【００３２】
次に、障子１の組み立て方法及び作用について説明するが、まず、図１に示す連結部５０における組み立て方法及びその作用について説明する。押出し形材により製造した上框７及び吊元側竪框１１に、従来のようなほぞ加工を何らすることなく組み立てる。そして、上框７の端にホルダ２７の横框嵌合部４７を嵌合し、竪框嵌合部４９を吊元側竪框１１の嵌合溝３７に嵌合して、吊元側竪框１１の外側からネジ挿通孔５２を介してネジ５１を吊元側竪框１１内に挿通し嵌合溝３７の溝底にネジ５１の頭を係止する。
【００３３】
ホルダ２７は竪框嵌合部４９が吊元側竪框１１の嵌合溝３７に嵌合するので、ホルダ２７の装着が容易にでき、仮固定できるので、その後のネジ留め作業がし易く、組み立てが容易である。
【００３４】
吊元側竪框１１の嵌合溝３７に竪框嵌合突部４９を挿入すると、嵌合溝３７内に形成された位置決め部４３に竪框嵌合突部４９の片部５５が当接して、竪框嵌合突部４９の挿入量が規制される。したがって、竪框１１に対するホルダ２７の装着位置を均一にでき、組み付け性が良い。
【００３５】
そして、ネジ５１をホルダ２７の挿通孔５３に挿通して、上横框７のネジ留めホール２９に螺合した後、吊元側竪框１１の上端にキャップ５７を装着してカバー部３９により吊元側竪框の外周側面３１に形成したネジ挿通孔５２を塞ぐ。
【００３６】
本実施の形態では、上横框７及び吊元側竪框１１は、それぞれほぞ加工することなく、吊元側竪框１１にネジ挿通孔５２を形成すれば良く、加工及び組み立てが容易である。特に、ほぞ加工の工程がない分組み立てが容易であり且つ製造コストを低減できる。
更に、上横框７や吊元側竪框１１にほぞ加工をしない為、ほぞ加工用の加工金型を削減でき、製造コストを低減できる。
【００３７】
金属製の吊元側竪框１１と上横框７との間には、樹脂製のホルダ２７を介在しているので、組み立て時に相互に傷つくのを防止できる。
【００３８】
ネジ５１によるネジ留め後、吊元側竪框１１の上端にキャップ５７を装着する。キャップ５７の装着によりキャップ５７に一体形成してあるカバー部３９が吊元側竪框１１のネジ挿通孔５２を塞ぐから、別途ネジ挿通孔５２を塞ぐ部材（例えば、ホールプレート）を設ける必要がなく、部品点数を削減できるとともに組み立て工数を少なくできる。
【００３９】
特に、カバー部３９は溝状のネジ挿通孔５２に挿入されて、吊元側竪框１１の外面３１と面一になるから、吊元側竪框１１が回転する場合に吊元側竪枠１９に取り付けているタイト材２１が吊元側竪框１１の外面に振れても、従来のようにタイト材２１が外面３１から突設した塞ぎ部材に当接してタイト材２１が巻き込まれることがない。
【００４０】
同様にして、図３に示す戸先側竪框１３と上横框７との連結部４０、図４に示す下横框９、ガラリ羽根６１、ガラリ中桟５９と吊元側竪框１１との左右の連結部５０も連結する。本実施の形態では、ガラリ羽根６１及びガラリ中桟５９も横框と同様に且つ同時に組み立てできるので、組み立て効率が良く、各連結部４０、５０には樹脂製のホルダ２７ａを介在するので、組み付けが容易にできる。
【００４１】
特に、連結部４０、５０における横框と竪框との金属接触がないから、横框や竪框に傷が付くのを防止でき、外観が良い。
【００４２】
本発明は、上述した実施の形態に限定されず、本発明の要旨を逸脱しない範囲で種々変形可能である。
【００４３】
例えば、図１０に示すように、ネジ挿通孔５２はＵ字状の溝に限らず丸孔としてもよい。この場合には、キャップ５７のカバー部３９には、ネジ挿通孔５２を吊元側竪框１１の内側から塞ぐ突部６９を設けるとともに突部６９はネジ挿通孔５２を塞いだ状態で吊元側竪框１１の外周面と面一になるようにする。尚、キャプ５７の装着は、図１０に矢印イで示すように吊元側竪框１１の内側に向けて斜め下方に挿入した後、矢印ロで示すように水平に起こすようにして突部６９をネジ挿通孔５２に嵌着する。
【００４４】
本発明は、浴室ドアの障子を例に用いて説明したが、これに限らず、サッシの障子や玄関ドアの障子であってもよい。
障子１の各連結部３０、４０、５０はいずれから連結しても良い。
【００４５】
【発明の効果】
請求項１に記載の発明によれば、各框は、それぞれほぞ加工することなく、押出し成形した状態のまま組み立てでき、ほぞ加工の工程がない分組み立てが容易であり且つ製造コストを低減できる。
框にほぞ加工をしない為、ほぞ加工用の加工金型を削減でき、製造コストを低減できる。
金属製の竪框と横框との間には、樹脂製のホルダを介在しているので、組み立て時に竪框と横框が相互に傷つくのを防止できる。
【００４６】
請求項２に記載の発明によれば、請求項１に記載の発明と同様な効果を奏するとともに、ホルダは嵌合突部が竪框の溝に嵌合するので、ホルダの装着が容易にできる。また、仮固定できるので、その後のネジ留め作業がし易く、組み立てが容易である。
【００４７】
樹脂製のホルダの挟持部が横框端と竪框の内周側面との間に挟持されるので、竪框と横框との接触による傷を確実に防止できる。
【００４８】
請求項３に記載の発明によれば、請求項２に記載の発明と同様な効果を奏するとともに、竪框の嵌合溝に嵌合突部を挿入すると嵌合溝内に形成された位置決め部に嵌合突部の片部が当接して、嵌合突部の挿入量が規制されるので、竪框に対するホルダの装着位置のばらつきを防止できるとともに組み付け性が良い。
また、片部が位置決め部に当接することによりホルダと竪框との間の水密性を高めることができる。
【００４９】
請求項４に記載の発明によれば、請求項１〜３のいずれかに記載に発明と同様な効果を奏するとともに、横框と竪框のみならず、ガラリ羽根も同時に組み立てできる。
竪框とガラリ羽根との間にも樹脂製のホルダが介在するから、ガラリ羽根やガラリ中桟が傷つくのを防止できる。
【００５０】
横框と、ガラリ羽根と、ガラリ中桟とをホルダにより一体に保持することができるので、これらを一体に取り付けた状態で移動させたり、搬送できるので取り扱いやすく、且つ横框と、ガラリ羽根と、ガラリ中桟とを樹脂製のホルダが保持しているので、これらに傷が付き難い。
【００５１】
請求項５に記載の発明によれば、請求項１〜４のいずれかに記載の発明と同様な効果を奏するとともに、キャップの装着によりキャップに一体形成してあるカバー部が竪框の内側でネジ挿通孔を塞ぐから、別途ネジ挿通孔を塞ぐ部材を設ける必要がなく、部品点数を削減できるとともに組み立て工数を少なくできる。
【００５２】
特に、カバー部は溝状のネジ挿通孔に挿入されて、竪框の外面と面一になるから、従来のように竪框の外面から突設したホールプレートにタイト材が当ってタイト材が竪框の回動に巻き込まれることがない。
【００５３】
この請求項６に記載の発明によれば、請求項５に記載の発明と同様な作用効果を奏する障子の組み立て方法を提供することができる。
【図面の簡単な説明】
【図１】吊元側竪框と横框との連結部の分解斜視図である。
【図２】図１に示す連結部の横断面図である。
【図３】戸先側竪框と横框との連結部の分解斜視図である。
【図４】下横框及びガラリ羽根と、吊元側竪框との連結部の分解斜視図である。
【図５】上ホルダの図であり、（ａ）は正面図、（ｂ）は側面図、（ｃ）は背面図、（ｄ）は底面図である。
【図６】キャップを装着した吊元側竪框の横断面図である。
【図７】下ホルダの図であり、（ａ）は正面図、（ｂ）は側面図、（ｃ）は背面図、（ｄ）は底面図であり、（ｅ）は上面図である。
【図８】浴室ドアの縦断面図である。
【図９】図８に示す浴室ドアの横断面図である。
【図１０】他の実施の形態にかかる吊元側竪框とキャップとを示す斜視図である。
【符号の説明】
１    障子
７    上框（横框）
９    下框（横框、下横框）
１１  吊元側竪框（竪框）
１３  戸先側竪框（竪框）
２７、２７ａ  ホルダ
２９  ネジ留めホール
３０  連結部
３１  外周側面
３７  嵌合溝
３９  カバー部
４０  連結部
４１  挿入溝
４３  位置決め部
４５  挟持部
４７  横框嵌合部
４９  竪框嵌合部
５０  連結部
５１  ネジ
５２  ネジ挿通孔
５３  挿通孔
５５  片部
５７  キャップ
５９  ガラリ中桟
６１  ガラリ羽根
６３  ガラリ中桟嵌合部
６５  ガラリ嵌合部
【図１】
2004225295.tif 000003
【図２】
2004225295.tif 000004
【図３】
2004225295.tif 000005
【図４】
2004225295.tif 000006
【図５】
2004225295.tif 000007
【図６】
2004225295.tif 000008
【図７】
2004225295.tif 000009
【図８】
2004225295.tif 000010
【図９】
2004225295.tif 000011
【図１０】
2004225295.tif 000012